(57)【要約】【課題】ストーリー構成も含め、容易な操作で動画編集が可能な、使い勝手のよい動画編集装置を提供する。【解決手段】この動画編集装置１００は、ユーザーの意図が十分に反映された動画のストーリーを構成するための文字コンテ２００を作成する文字コンテ作成部１０４を備え、文字コンテ２００に示されたストーリー構成に沿って絵コンテ５００を作成していくことで、ユーザーは自らに意図を十分に反映させた動画再生を実現可能な動画編集を容易に実現することができる。【選択図】図１
2009213071.tif 000002
【特許請求の範囲】
【請求項１】
動画を表示可能な表示手段と、
各種情報や命令を入力する入力手段と、
前記入力手段から入力された文字情報に基づき、編集する動画のストーリー構成を示す文字コンテを作成する文字コンテ作成手段と、
画像を取得する画像取得手段と、
前記画像取得手段で取得された画像を、前記文字コンテ作成手段で作成された文字コンテに含まれる文字情報に対応するようにカットし、カットされた画像に対応する前記文字コンテに含まれる各文字情報をテキストとして打ち込み動画素材を作成する動画素材作成手段と、
前記動画素材作成手段で作成された各動画素材にトリミングを施し、絵コンテを作成する絵コンテ作成手段と、
を備えていることを特徴とする動画編集装置。
【請求項２】
前記動画編集装置において、
前記絵コンテ作成手段で作成された絵コンテに示される動画素材をクリップ動画とし、該クリップ動画を前記文字コンテ作成手段で作成された文字コンテに含まれる文字情報に基づいて分類して付箋状に表示する付箋コンテを作成する付箋コンテ作成手段
を備えたことを特徴とする請求項１に記載の動画編集装置。
【請求項３】
前記文字コンテ作成手段により作成される文字コンテには、動画のストーリーの展開に沿った各シーンの主題名と、当該シーン内における小項目が表示されることを特徴とする請求項１又は２に記載の動画編集装置。
【請求項４】
前記文字コンテ作成手段により作成される文字コンテには、各シーンの動画再生時間が表示されること特徴とする請求項３に記載の動画編集装置。
【請求項５】
前記付箋コンテ作成手段により作成される付箋コンテには、前記絵コンテに示される動画素材をクリップ動画として、該クリップ動画を前記シーンの主題名ごとに分類し、横軸方向に各シーンの主題名が構成順に並ぶように、また各シーンの主題名下の縦軸方向に各シーンに含まれるシーン小項目名の内容を示すクリップ動画が構成順に並ぶように表示されることを特徴とする請求項３または４に記載の動画編集装置。
【請求項６】
前記付箋コンテ内に表示されている各シーンに含まれるクリップ動画全体の位置や各シーンの主題名下に表示されているクリップ動画個別の位置を把握し、前記付箋コンテにおける各シーンに含まれるクリップ動画全体の位置移動や、クリップ動画個別の位置移動を制御する付箋コンテ制御手段を備えていることを特徴とする請求項５に記載の動画編集装置。
【請求項７】
前記付箋コンテ内に表示されている各シーン主題名下にあるクリップ動画全体の再生時間が前記文字コンテに示されている当該シーンの再生時間内に収まるか否かを判定する動画再生時間判定手段を備えていることを特徴とする請求項５または６に記載の動画編集装置。
【請求項８】
動画を表示可能な表示手段と、
各種情報や命令を入力する入力手段と、
画像を取得する画像取得手段と、
ネットワークとの通信を制御する通信制御手段と、
を備えた携帯端末と、
前記入力手段から入力された文字情報に基づき、編集する動画のストーリー構成を示す文字コンテを作成する文字コンテ作成手段と、
前記画像取得手段で取得された画像を、前記文字コンテ作成手段で作成された文字コンテに含まれる文字情報に対応するようにカットし、カットされた画像に対応する前記文字コンテに含まれる各文字情報をテキストとして打ち込み動画素材を作成する動画素材作成手段と、
前記動画素材作成手段で作成された各動画素材にトリミングを施し、絵コンテを作成する絵コンテ作成手段と、
ネットワークとの通信を制御する通信制御手段と、
を備えたサーバーと、
該携帯端末と該サーバーとを接続するネットワーク回線と
により構成されていることを特徴とする動画編集システム。
【請求項９】
入力された文字情報に基づき、編集する動画のストーリー構成を示す文字コンテを作成する文字コンテ作成工程と、
画像を取得する画像取得工程と、
前記画像取得工程で取得された画像を、前記文字コンテ作成工程で作成された文字コンテに含まれる文字情報に対応するようにカットし、カットされた画像に対応する前記文字コンテに含まれる各文字情報をテキストとして打ち込み動画素材を作成する動画素材作成工程と、
前記動画素材作成工程で作成された各動画素材にトリミングを施し、絵コンテを作成する絵コンテ作成工程と、
を備えていることを特徴とする動画編集方法。
【請求項１０】
前記動画編集方法における絵コンテ作成工程の後に、
前記絵コンテ作成工程で作成された絵コンテに示される動画素材をクリップ動画とし、該クリップ動画を前記文字コンテ作成工程で作成された文字コンテに含まれる文字情報に基づいて分類して付箋状に表示する付箋コンテを作成する付箋コンテ作成工程を有し、
前記付箋コンテ作成工程で作成される付箋コンテには、前記絵コンテに示される動画素材をクリップ動画として、該クリップ動画を前記シーンの主題名ごとに分類し、横軸方向に各シーンの主題名が構成順に並ぶように、また各シーンの主題名下の縦軸方向に各シーンに含まれるシーン小項目名の内容を示すクリップ動画が構成順に並ぶように表示されることを特徴とする請求項９に記載の動画編集方法。
【請求項１１】
請求項９または１０に記載の動画編集方法をコンピュータに実行させることを特徴とする動画編集プログラム。
【発明の詳細な説明】
【技術分野】
【０００１】
本発明は、簡易な操作で容易に所望の動画を編集することができる動画編集装置、動画編集システム、動画編集方法、および動画編集プログラムに関する。
【背景技術】
【０００２】
従来より、元動画ファイルから所望シーンを抽出して、そのシーンの動画ファイルを新たに編集する技術が数多く提案されている（たとえば、特許文献１を参照。）
【０００３】
この特許文献１に記載されている動画編集技術では、元動画ファイルを構成する各フレームの画像（コマ画像）を時系列的に表示する編集画面において、所望シーンの抽出ポイントを入力すると、元動画ファイルの再生表示後に、そのポイント指定位置に応じたシーンが抽出され、編集済動画ファイルとして記憶保存される。このため、ユーザーは、元動画ファイルの再生表示画面を見ながら、好きなところでシーン抽出ポイントを入力するだけで所望シーンを抽出できるようになるため、同種の従来技術と比較し操作性の向上が図られている。
【０００４】
【特許文献１】特開２００６−１０１０７６号公報
【発明の開示】
【発明が解決しようとする課題】
【０００５】
しかしながら、上記従来技術では、元動画ファイルから所望シーンを容易に抽出できるのみであり、抽出したシーンを用いて新たなストーリーを構成する場合には、従来より行われてきた手法と同様に、絵コンテなどを作成しながらストーリー構成をしなおさなければならない。絵コンテを作成するだけでも、作業に不慣れな者にとっては多くの労力を要することになる。このため、動画編集に長けているものでなければ効率的な作業ができないという問題がある。
【０００６】
本発明は、上述した従来技術による問題点を解消するため、ストーリー構成を含め、容易な操作で動画編集が可能な動画編集装置、動画編集システム、動画編集方法、および動画編集プログラムを提供することを目的とする。
【課題を解決するための手段】
【０００７】
上述した課題を解決し、目的を達成するため、請求項１の発明にかかる動画編集装置は、動画を表示可能な表示手段と、各種情報や命令を入力する入力手段と、前記入力手段から入力された文字情報に基づき、編集する動画のストーリー構成を示す文字コンテを作成する文字コンテ作成手段と、画像を取得する画像取得手段と、前記画像取得手段で取得された画像を、前記文字コンテ作成手段で作成された文字コンテに含まれる文字情報に対応するようにカットし、カットされた画像に対応する前記文字コンテに含まれる各文字情報をテキストとして打ち込み動画素材を作成する動画素材作成手段と、前記動画素材作成手段で作成された各動画素材にトリミングを施し、絵コンテを作成する絵コンテ作成手段とを備えていることを特徴とする。
【０００８】
請求項２に記載の発明によれば、前記動画編集装置に、前記絵コンテ作成手段で作成された絵コンテに示される動画素材をクリップ動画とし、該クリップ動画を前記文字コンテ作成手段で作成された文字コンテに含まれる文字情報に基づいて分類して付箋状に表示する付箋コンテを作成する付箋コンテ作成手段を備えてもよい。
【０００９】
また、請求項３の発明にかかる動画編集装置は、請求項１又は２に記載の発明において、前記文字コンテ作成手段により作成される文字コンテには、動画のストーリーの展開に沿った各シーンの主題名と、当該シーン内における小項目が表示されることを特徴とする。
【００１０】
また、請求項４の発明にかかる動画編集装置は、請求項３に記載の発明において、前記文字コンテ作成手段により作成される文字コンテには、各シーンの動画再生時間が表示されること特徴とする。
【００１１】
また、請求項５の発明にかかる動画編集装置は、請求項２ないし４に記載の発明において、前記付箋コンテ作成手段により作成される付箋コンテには、前記絵コンテに示される動画素材をクリップ動画として、該クリップ動画を前記シーンの主題名ごとに分類し、横軸方向に各シーンの主題名が構成順に並ぶように、また各シーンの主題名下の縦軸方向に各シーンに含まれるシーン小項目名の内容を示すクリップ動画が構成順に並ぶように表示されることを特徴とする。
【００１２】
また、請求項６の発明にかかる動画編集装置は、請求項５に記載の発明において、前記付箋コンテ内に表示されている各シーンに含まれるクリップ動画全体の位置や各シーン主題名下に表示されているクリップ動画個別の位置を把握し、前記付箋コンテにおける各シーンに含まれるクリップ動画全体の位置移動や、クリップ動画個別の位置移動を制御する付箋コンテ制御手段を備えていることを特徴とする。
【００１３】
また、請求項７の発明のかかる動画編集装置は、請求項５または６に記載の発明において、前記付箋コンテ内に表示されている各シーン主題名下にあるクリップ動画全体の再生時間が前記文字コンテに示されている当該シーンの再生時間内に収まるか否かを判定する動画再生時間判定手段を備えていることを特徴とする。
【００１４】
また、請求項８の発明にかかる動画編集システムは、動画を表示可能な表示手段と、各種情報や命令を入力する入力手段と、画像を取得する画像取得手段と、ネットワークとの通信を制御する通信制御手段と、を備えた携帯端末と、前記入力手段から入力された文字情報に基づき、編集する動画のストーリー構成を示す文字コンテを作成する文字コンテ作成手段と、前記画像取得手段で取得された画像を、前記文字コンテ作成手段で作成された文字コンテに含まれる文字情報に対応するようにカットし、カットされた画像に対応する前記文字コンテに含まれる各文字情報をテキストとして打ち込み動画素材を作成する動画素材作成手段と、前記動画素材作成手段で作成された各動画素材にトリミングを施し、絵コンテを作成する絵コンテ作成手段と、ネットワークとの通信を制御する通信制御手段と、を備えたサーバーと、該携帯端末と該サーバーとを接続するネットワーク回線とにより構成されていることを特徴とする。
【００１５】
また、請求項９の発明にかかる動画編集方法は、入力された文字情報に基づき、編集する動画のストーリー構成を示す文字コンテを作成する文字コンテ作成工程と、画像を取得する画像取得工程と、前記画像取得工程で取得された画像を、前記文字コンテ作成工程で作成された文字コンテに含まれる文字情報に対応するようにカットし、カットされた画像に対応する前記文字コンテに含まれる各文字情報をテキストとして打ち込み動画素材を作成する動画素材作成工程と、前記動画素材作成工程で作成された各動画素材にトリミングを施し、絵コンテを作成する絵コンテ作成工程とを備えていることを特徴とする。
【００１６】
また、請求項１０の発明にかかる動画編集方法は、請求項９に記載の発明における絵コンテ作成工程の後に、前記絵コンテ作成工程で作成された絵コンテに示される動画素材をクリップ動画とし、該クリップ動画を前記文字コンテ作成工程で作成された文字コンテに含まれる文字情報に基づいて分類して付箋状に表示する付箋コンテを作成する付箋コンテ作成工程を有し、前記付箋コンテ作成工程で作成される付箋コンテには、前記絵コンテに示される動画素材をクリップ動画として、該クリップ動画を前記シーンの主題名ごとに分類し、横軸方向に各シーンの主題名が構成順に並ぶように、また各シーンの主題名下の縦軸方向に各シーンに含まれるシーン小項目名の内容を示すクリップ動画が構成順に並ぶように表示されることを特徴とする。
【００１７】
また、請求項１１の発明にかかる動画編集プログラムは、請求項９または１０に記載の動画編集方法をコンピュータに実行させることを特徴とする。
【発明の効果】
【００１８】
本発明によれば、ストーリー構成も含め、容易な操作で動画編集が可能な動画編集装置、動画編集システム、動画編集方法、および動画編集プログラムを提供することができるという効果を奏する。
【発明を実施するための最良の形態】
【００１９】
以下、添付図面を参照して、本発明にかかる動画編集装置、動画編集システム、動画編集方法、および動画編集プログラムの好適な実施の形態を詳細に説明する。
【００２０】
実施の形態１
（動画編集装置の機能的構成）
まず、実施の形態１では、動画編集装置を示す。図１は、本発明にかかる動画編集装置の機能的構成を示すブロック図である。
【００２１】
この動画編集装置１００は、制御部１０１と、表示部１０２と、入力部１０３と、文字コンテ作成部１０４と、画像取得部１０５と、動画素材作成部１０６と、絵コンテ作成部１０７と、付箋コンテ作成部１０８と、付箋コンテ制御部１０９と、動画再生時間判定部１１０と、格納部１１１と、を備えている。
なお、本発明の実施においては付箋コンテ作成部１０８と付箋コンテ制御部１０９は必ずしも設けなくともよい。
【００２２】
制御部１０１は、動画編集装置１００全体の動作を制御するものであり、たとえばＣＰＵなどで構成される。
【００２３】
表示部１０２は、アイコン、カーソル、メニュー、ウインドウ、あるいは文字や画像などの各種情報を表示する。この表示部１０２としては、たとえば、ＣＲＴ、ＴＦＴ液晶ディスプレイ、プラズマディスプレイなどを採用することができる。
【００２４】
入力部１０３は、ユーザーが動画編集装置１００へ各種情報や命令を入力するためのものである。この入力部１０３は、文字、数値、各種指示などの入力のためのキーボード、マウス、タッチパネルなどで構成される。
【００２５】
文字コンテ作成部１０４は、入力部１０３から入力された文字情報に基づき、これから編集しようとする動画のストーリー構成を示す文字コンテを作成する。
【００２６】
図２は、この文字コンテ作成部１０４により作成される文字コンテ２００の一例を示す図である。まず、ユーザーが、入力部１０３からストーリーの流れに従って各シーンの主題を入力することにより、各「シーン主題名」の欄が埋められる。
【００２７】
次に、同様に、ユーザーが、各シーン内の小項目名をストーリーの流れに従って入力することによって、各「シーン小項目名」の欄が埋められる。各「シーン主題名」や各「シーン小項目名」は、ユーザーが思い描いたストーリーの展開に従って埋められていくので、作成された文字コンテ２００にはユーザーの意図が十分に反映されていることになる。
【００２８】
このようにして、編集する動画のストーリーが構成されていく。ユーザーは、ここで作成された文字コンテ２００に示された各シーンに該当する動画を順次取得していくことで、思い描いた動画を容易に編集することができる。
【００２９】
また、各シーン全体の動画再生時間を設定してもよい。このようにすることで、ある一シーンの再生時間が突出して長くなったりまたは短くなったりして、動画再生の全体のバランスを失するといった不都合を回避することができる。なお、「シーン主題名」や各「シーン小項目名」の削除や追加、または表示順の入れ替えなどは口述する処理でも可能である。
【００３０】
画像取得部１０５は、この動画編集装置１００で取り扱う画像を取得する。画像は、格納部１１１に格納されているもの直接取得してもよいし、ネットワークを介して外部の機器から取得してもよい。また、画像取得部１０５にカメラを設けて、直接撮影してもよい。
【００３１】
動画素材作成部１０６は、画像取得部１０５が取得した画像を、文字コンテ作成部１０４が作成した文字コンテ２００に示される文字情報に対応するようにカットする。そして、カットされた画像に、対応する文字コンテ２００に示される各文字情報をテキスト（キャプション）として打ち込み動画素材を作成する。
【００３２】
図３は、この動画素材作成部１０６により作成される動画素材３００の一例を示す図である。まず、画像取得部１０５が取得した画像を、対応する文字コンテ２００に示されている各「シーン小項目名」ごとにカットする。そして、カットされた画像に、対応する「シーン小項目名」とともに当該「シーン小項目名」が属する「シーン主題名」をテキスト（キャプション）として打ち込み動画素材３００を作成する。なお、文字コンテ２００に「シーン小項目名」の表示がなく「シーン主題名」のみが表示されている場合には、「シーン主題名」のみがテキスト（キャプション）として打ち込まれる。
【００３３】
絵コンテ作成部１０７は、動画素材作成部１０６で作成された各動画素材にトリミングを施し、絵コンテを作成する。ここでトリミングとは撮影時又は画像取得部１０５による取得時に取り込まれた動画像のうち、所望の開始時点と終了時点を指定して、必要な時間帯の動画素材のみを抽出することである。
【００３４】
図４は、絵コンテ作成部１０７により作成される絵コンテ４００の一例を示す図である。絵コンテ作成部１０７では、動画素材作成部１０６で作成された動画素材３００にトリミングを施し、これを次々に絵コンテ４００に登録する。
【００３５】
付箋コンテ作成部１０８は、絵コンテ作成部１０７により作成された絵コンテ４００に含まれるトリミングが施された動画素材３００をクリップ動画として、文字コンテ作成部１０４で作成された文字コンテ２００に示されている「シーン主題名」ごとに分類して付箋状に表示する付箋コンテを作成する。
【００３６】
図５は、付箋コンテ作成部１０８により作成される付箋コンテ５００の一例を示す図である。付箋コンテ作成部１０８は、絵コンテ４００に含まれるトリミングが施された動画素材３００をクリップ動画として、文字コンテ２００に示されている「シーン主題名」ごとに分類する。そして、横軸方向に「シーン主題名」が構成順に並ぶように、またその「シーン主題名」下の縦軸方向に各シーンに含まれる「シーン小項目名」の内容を示すクリップ動画５０１が構成順に並ぶように表示する付箋コンテ５００を作成する。
【００３７】
付箋コンテ制御部１０９は、付箋コンテ５００内に表示されている各シーンに含まれるクリップ動画５０１全体の位置や各「シーン主題名」下に表示されているクリップ動画５０１個別の位置を把握し、付箋コンテ５００内における各シーンの含まれるクリップ動画５０１全体の位置移動や、クリップ動画５０１個別の位置移動を制御する。
【００３８】
たとえば、表示部１０２に表示されている付箋コンテ５００内の「シーン主題名」やクリップ動画５０１をマウスポインタで押さえ、入力部１０３の操作によりドラッグすることにより、付箋コンテ５００内における各シーンに含まれるクリップ動画５０１全体の位置移動や、クリップ動画５０１個別の位置移動を行う。この処理により、動画再生における各シーンの順序の変更や、各シーン内におけるクリップ動画５０１の再生順序の変更を極めて簡便に行うことができる。
【００３９】
また、各シーン間においてクリップ動画５０１の移動を行うことができるため、あるシーンに分類されていたクリップ動画５０１を他のシーンに属する動画として再編集することができるようになる。また、各クリップ動画５０１には、「シーン主題名」や「シーン小項目名」付されていることから、それをもとに必要なクリップ動画５０１を検索することもできる。
【００４０】
また、付箋コンテ制御部１０９は、付箋コンテ５００内に表示されている各シーン全体や各シーン属する個別のクリップ動画５０１を削除することもできる。また、同様な形式で作成された付箋コンテが他に存在する場合、付箋コンテ制御部１０９の処理で、当該付箋コンテに含まれるクリップ動画やクリップ動画を含むシーン全体を新たに付箋コンテ５００に追加することもできる。いずれの処理も、表示部１０２に表示されたシーン主題名や個別のクリップ動画などに対する入力部１０３のドラッグや削除操作により実行できる。
【００４１】
また、付箋コンテ５００内に表示されている各シーンに属するクリップ動画５０１全体の位置、および個別のクリップ動画５０１の位置は、文字コンテ作成部１０４が監視している。そして、各シーンに属するクリップ動画５０１全体の位置や個別のクリップ動画５０１の位置が移動した場合は、文字コンテ２００の構成を整理し、移動したクリップ動画５０１と矛盾抵触しないように、文字コンテ２００内の各「シーン主題名」や各シーンに属する「シーン小項目名」の順序を入れ替える。
【００４２】
動画再生時間判定部１１０は、付箋コンテ５００内に表示されている各「シーン主題名」下にあるクリップ動画５０１全体の再生時間が文字コンテ２００に示されている当該シーンの再生時間内に収まるか否かを判定する。再生時間が超過するようであれば、表示部１０２にその旨を表示し、ユーザーに動画の再編集を促す。
【００４３】
文字コンテ作成部１０４、動画素材作成部１０６、絵コンテ作成部１０７、付箋コンテ作成部１０８、付箋コンテ制御部１０９、および動画再生時間判定部１１０は、ＣＰＵに所定のプログラムを実行させることによって、その機能を実現することができる。
【００４４】
格納部１１１は、文字コンテ作成部１０４、動画素材作成部１０６、絵コンテ作成部１０７、付箋コンテ作成部１０８で作成された各データを格納する。また、編集する動画の元データとなる画像データを格納してもよい。この格納部１１１は、たとえば、ＨＤ（ハードディスク）やＦＤ（フレキシブルディスク）などを用いて構成することができる。
【００４５】
また、この動画編集装置１００では、編集する動画内に文字情報を挿入したり、動画再生とともに出力される音声などを付加したりすることができる。この処理は、従来技術により容易に実現できるので、ここでは説明を省略する。
【００４６】
（動画編集装置の処理）
次に、本発明にかかる動画編集装置の処理について説明する。図６は、本発明にかかる動画編集装置の処理手順を示すフローチャートである。
【００４７】
図６に示すフローチャートにおいて、まず、文字コンテを作成する（ステップＳ６０１）。この処理は、前述のように、文字コンテ作成部１０４が実行する。この処理により作成された文字コンテ２００には、ユーザーが思い描いたストーリーの展開順に沿った「シーン主題名」や「シーン小項目名」が示されるので（図２参照）、ユーザーはここに示された「シーン主題名」や「シーン小項目名」の順序に沿って画像を取得し並べていけば、おのずからユーザーの意図が反映された動画が編集されることになる。
【００４８】
次に、画像を取得する（ステップＳ６０２）。この処理は、画像取得部１０５が実行する。ここでは、ステップＳ６０１で作成された文字コンテ２００に示されている「シーン主題名」や「シーン小項目名」の順序に沿って対応する画像が取得される。
【００４９】
次に、動画素材を作成する（ステップＳ６０３）。具体的には、動画素材作成部１０６が、ステップＳ６０２で取得された画像を、ステップＳ６０１で作成された文字コンテ２００に示されている「シーン主題名」または「シーン小項目名」に対応するようにカットする。そして、カットされた画像に、対応する「シーン主題名」や「シーン小項目名」をテキスト（キャプション）として打ち込み動画素材３００を作成する（図３参照）。
【００５０】
次に、絵コンテを作成する（ステップＳ６０４）。具体的には、絵コンテ作成部１０７が、ステップＳ６０３で作成された動画素材３００にトリミングを施し、これを次々に絵コンテ４００に登録する（図４参照）。
【００５１】
続いて、付箋コンテを作成する（ステップＳ６０５）。ここでは、付箋コンテ作成部１０８が、ステップＳ６０４で作成された絵コンテ４００に含まれるトリミングが施された各動画素材３００をクリップ動画として、ステップＳ６０１で作成された文字コンテ２００に示されている「シーン主題名」ごとに分類して付箋状に表示する付箋コンテ５００を作成する（図５参照）。
【００５２】
続いて、再編集が必要か否かを判断する（ステップＳ６０６）。ここでは、ユーザーが表示されている付箋コンテ５００を確認しながら、動画再生される順序が「シーン主題名」や「シーン小項目名」に示されている順序でよいか否か、不要な動画がないか、追加すべき動画はないか、などを確認する。
【００５３】
ステップＳ６０６において再編集が不要であると判断した場合（ステップＳ６０６：Ｎｏ）は、そのまま処理を終了する。一方、ステップＳ６０６において再編集が必要であると判断した場合（ステップＳ６０６：Ｙｅｓ）は、動画の再編集を行う（ステップＳ６０７）。
【００５４】
このステップＳ６０６における動画の再編集は、前述したような処理により、付箋コンテ５００内における各「シーン主題名」下にあるクリップ動画５０１全体の位置移動や、クリップ動画５０１個別の位置移動を行う。また、付箋コンテ５００内に表示されている各シーン全体や各シーン内に表示されている個別のクリップ動画５０１の削除や、新たなシーンの追加や各シーン内への新たなクリップ動画の追加などである。なお、新たなシーンの追加や各シーン内への新たなクリップ動画の追加を行う場合、同様な形式で作成された付箋コンテが他に存在しないときは、追加する動画に関してはステップＳ６０１からの処理が必要になる。
【００５５】
以上のような処理を行うことにより、実施の形態１の動画編集装置１００では、ストーリー構成も含め、容易な操作で動画編集が可能になる。また、いったん編集作業が終了した後でも、動画の再生順や、再生する動画の削除や追加も容易な操作で行うことができる。このため、動画編集に長けていないユーザーであっても、抵抗なく動画編集を行うことができる。
【００５６】
実施の形態２
（動画編集システムの機能的構成）
次に、実施の形態２では、ネットワークを介して接続された、携帯端末とサーバーとにより構成される動画編集システムを示す。図７は、本発明にかかる動画編集システムの機能的構成を示すブロック図である。
【００５７】
この動画編集システム７００は、ネットワーク７５０を介して接続された、携帯端末７１０と、サーバー７２０と、により構成される。
【００５８】
携帯端末７１０は、制御部７１１と、表示部７１２と、入力部７１３と、画像取得部７１４と、通信制御部７１５と、を備えている。
【００５９】
制御部７１１は、携帯端末７１０全体の動作を制御するものであり、たとえばＣＰＵなどで構成される。
【００６０】
表示部７１２は、アイコン、カーソル、メニュー、ウインドウ、あるいは文字や画像などの各種情報を表示する。この表示部７１２としては、たとえば、ＴＦＴ液晶ディスプレイ、有機ＥＬディスプレイなどを採用することができる。
【００６１】
入力部７１３は、ユーザーがサーバー７２０へ送信する各種情報や命令を入力するためのものである。この入力部７１３は、文字、数値、各種指示などの入力のためのキーボード、タッチパネルなどで構成される。
【００６２】
画像取得部７１４は、この動画編集システム７００で取り扱う画像を取得する。画像は、ネットワーク７５０を介して外部の機器から取得してもよいし、画像取得部７１４にカメラを設けて、直接撮影してもよい。特に、携帯端末が携帯電話であって、周知のカメラ機能を用いてムービー画像を撮影する構成でもよい。
【００６３】
通信制御部７１５は、ネットワーク７５０との通信を制御する。
【００６４】
一方、サーバー７２０は、制御部７２１と、通信制御部７２２と、文字コンテ作成部１０４と、動画素材作成部１０６と、絵コンテ作成部１０７と、付箋コンテ作成部１０８と、付箋コンテ制御部１０９と、動画再生時間判定部１１０と、格納部１１１と、を備えている。
【００６５】
制御部７２１は、サーバー７２０全体の動作を制御するものであり、たとえばＣＰＵなどで構成される。
【００６６】
通信制御部７２２は、ネットワーク７５０との通信を制御する。
【００６７】
文字コンテ作成部１０４は、携帯端末７１０から送られてきた文字情報に基づき、これから編集しようとする動画のストーリー構成を示す文字コンテを作成する。この文字コンテ作成部１０４の処理は、図２を用いて説明した実施の形態１のものと同様である。
【００６８】
動画素材作成部１０６は、携帯端末７１０から送られてきた画像を、文字コンテ作成部１０４が作成した文字コンテ２００に示されている文字情報に対応するようにカットする。そして、カットされた画像に、対応する文字コンテ２００に示されている文字情報をテキスト（キャプション）として打ち込み動画素材３００を作成する。この動画素材作成部１０６の処理は、図３を用いて説明した実施の形態１のものと同様である。
【００６９】
絵コンテ作成部１０７は、動画素材作成部１０６で作成された動画素材３００にトリミングを施し、絵コンテ４００を作成する。この絵コンテ作成部１０７の処理は、図４を用いて説明した実施の形態１のものと同様である。
【００７０】
付箋コンテ作成部１０８は、絵コンテ作成部１０７により作成された絵コンテ４００に含まれるトリミングが施された動画素材３００をクリップ動画５０１として、文字コンテ作成部１０４で作成された文字コンテ２００に示されている「シーン主題名」ごとに分類して付箋状に表示する付箋コンテ５００を作成する。この付箋コンテ作成部１０８の処理は、図５を用いて説明した実施の形態１のものと同様である。
【００７１】
付箋コンテ制御部１０９は、付箋コンテ５００内に表示されている各シーンに含まれるクリップ動画５０１全体の位置や各「シーン主題名」下に表示されているクリップ動画５０１個別の位置を把握し、付箋コンテ５００内における各シーンの含まれるクリップ動画５０１全体の位置移動や、クリップ動画５０１個別の位置移動を制御する。この付箋コンテ制御部１０９の処理も実施の形態１で説明したものと同様である。ただ、ネットワーク７５０を経由して携帯端末７１０の表示部７１２に表示されている付箋コンテ５００内にあるマウスポイントの位置も把握することが必要になる。
【００７２】
動画再生時間判定部１１０は、付箋コンテ５００内に表示されている各「シーン主題名」下にあるクリップ動画５０１全体の再生時間が文字コンテ２００に示されている当該シーンの再生時間内に収まるか否かを判定する。再生時間が超過するようであれば、表示部７１２にその旨を表示し、ユーザーに動画の再編集を促す。
【００７３】
文字コンテ作成部１０４、動画素材作成部１０６、絵コンテ作成部１０７、付箋コンテ作成部１０８、付箋コンテ制御部１０９、および動画再生時間判定部１１０は、ＣＰＵに所定のプログラムを実行させることによって、その機能を実現することができる。
【００７４】
格納部１１１は、文字コンテ作成部１０４、動画素材作成部１０６、絵コンテ作成部１０７、付箋コンテ作成部１０８で作成された各データを格納する。この格納部１１１は、たとえば、ＨＤ（ハードディスク）やＦＤ（フレキシブルディスク）などを用いて構成することができる。
【００７５】
また、この動画編集システム７００でも、編集する動画内に文字情報を挿入したり、動画再生とともに出力される音声などを付加したりすることができる。この処理は、従来技術により容易に実現できるので、ここでは説明を省略する。
【００７６】
以上説明したように、実施の形態２の動画編集システム７００は、実施の形態１で示した動画編集装置１００の機能を携帯端末７１０とサーバー７２０とで実現するものである。すなわち、動画編集装置１００の表示部１０２、入力部１０３、および画像取得部１０５に相当する機能を携帯端末７１０に集約し、他の機能をサーバー７２０に担わせている。ユーザーは携帯端末７１０を操作するだけで、実施の形態１で示した動画編集装置１００が実行する動画編集を行うことができる。
【００７７】
したがって、この実施の形態２の動画編集システム７００は、ネットワーク７５０に接続可能な場所ならば、ユーザーは携帯端末７１０を所持することでどこにいても容易に動画編集作業を行うことができ、使い勝手のよい動画編集システムとなる。
【００７８】
以上説明したように、本発明によれば、ストーリー構成を含め、容易な操作で動画編集が可能な、使い勝手のよい動画編集装置、動画編集システムを提供することができる。
【００７９】
なお、本実施の形態で説明した動画編集方法は、あらかじめ用意されたプログラムをコンピュータで実行することにより実現することができる。このプログラムは、ハードディスクをはじめとするコンピュータで読み取り可能な記録媒体に記録され、コンピュータによって記録媒体から読み出されることによって実行される。またこのプログラムは、インターネット等のネットワークを介して配布することが可能な伝送媒体であってもよい。
【産業上の利用可能性】
【００８０】
以上のように、本発明にかかる動画編集装置、動画編集システム、動画編集方法、および動画編集プログラムは、動画編集に有用であり、動画編集に不慣れなものであっても最初に作成する文字コンテに沿って動画を並べていくことにより、ユーザーの意図通りのストーリーが展開される動画を編集することができる。
【図面の簡単な説明】
【００８１】
【図１】本発明にかかる動画編集装置の機能的構成を示すブロック図である。
【図２】文字コンテ作成部１０４により作成される文字コンテの２００一例を示す図である。
【図３】動画素材作成部１０６により作成される動画素材３００の一例を示す図である。
【図４】絵コンテ作成部１０７により作成される絵コンテ４００の一例を示す図である。
【図５】付箋コンテ作成部１０８により作成される付箋コンテ５００の一例を示す図である。
【図６】本発明にかかる動画編集装置の処理手順を示すフローチャートである。
【図７】本発明にかかる動画編集システムの機能的構成を示すブロック図である。
【符号の説明】
【００８２】
１００  動画編集装置
１０１，７１１，７２１  制御部
１０２，７１２  表示部
１０３，７１３  入力部
１０４  文字コンテ作成部
１０５，７１４  画像取得部
１０６  動画素材作成部
１０７  絵コンテ作成部
１０８  付箋コンテ作成部
１０９  付箋コンテ制御部
１１０  動画再生時間判定部
１１１  格納部
２００  文字コンテ
３００  動画素材
４００  絵コンテ
５００  付箋コンテ
５０１  クリップ動画
７００  動画編集システム
７１０  携帯端末
７１５，７２２  通信制御部
７２０  サーバー
７５０  ネットワーク
【図１】
2009213071.tif 000003
【図６】
2009213071.tif 000004
【図７】
2009213071.tif 000005
【図２】
2009213071.tif 000006
【図３】
2009213071.tif 000007
【図４】
2009213071.tif 000008
【図５】
2009213071.tif 000009